(57)【要約】【課題】  気温が低いときにカートリッジ内の歯科用粘性材料が硬くなっても歯科用粘性材料を楽に押し出すことが可能な歯科用手動押出具を提供する。【解決手段】  後端近傍にフランジ２ａを有し先端にノズル２ｂを有するカートリッジ２から内容物である歯科用粘性材料を押し出すための歯科用手動押出具において、ハンドル部１ａで押し出されるプランジャー１ｂが貫通したバレル１ｃの先端部分に、該カートリッジ２を該フランジ２ａで係合させ収納するカートリッジ収納部１ｄを有する構成とされていて、カートリッジ収納部１ｄの周囲にヒーター１ｅを設けたことを特徴とする歯科用手動押出具１とする。【選択図】  図１
2010193941.tif 000002
【特許請求の範囲】
【請求項１】
後端近傍にフランジを有し先端にノズルを有するカートリッジから内容物である歯科用粘性材料を押し出すための歯科用手動押出具において、ハンドル部で押し出されるプランジャーが貫通したバレルの先端部分に、該カートリッジを該フランジで係合させ収納するカートリッジ収納部を有する構成とされていて、該カートリッジ収納部の周囲にヒーターを設けたことを特徴とする歯科用手動押出具。
【発明の詳細な説明】
【技術分野】
【０００１】
本発明は、カートリッジに収納された歯科用粘性材料を押し出すために用いる歯科用手動押出具に関する。
【背景技術】
【０００２】
歯科治療に於いて、歯科用充填材料や人工歯用材料，歯冠作製用材料等の歯科用粘性材料は筒状の使い捨て容器（以下、カートリッジと言う）に充填されて提供されている。歯科用粘性材料用のカートリッジは、先端にノズルと後端近傍にフランジを有する円筒状のカートリッジ本体と、その内部を摺動可能な内栓を備えて成るものが広く使用されている（例えば、特許文献１参照。）。このようなカートリッジは、専用の手動押出具（アプリケーター，アプライヤー）を用いて使用される（例えば、特許文献２〜６参照。）。
【０００３】
【特許文献１】特開２００１−３５３１６９号公報
【特許文献２】特開昭５８−８１０３３号公報
【特許文献３】特開平３−３２４６７５号公報
【特許文献４】特開平４−６４６９９号公報
【特許文献５】特表平９−５０６２７１号公報
【特許文献６】特開２００３−５０６２７１号公報
【発明の概要】
【発明が解決しようとする課題】
【０００４】
歯科用粘性材料は一般的に熱可塑性材料なので、使用時の気温が低くなると硬くなってしまいカートリッジから押し出し難くなる傾向がある。硬くなった歯科用粘性材料は押し出し難く特に腕力の無い使用者では扱い難くいのである。また、手動押出具は微妙な押し出し量を手指の力で加減して歯科用粘性材料の押出量を調整するものであるから、硬くなってしまった歯科用粘性材料は適量を押し出し難くいという問題があった。
【課題を解決するための手段】
【０００５】
本発明者は前記課題を解決すべく鋭意研究を重ねた結果、歯科用の手動押出具において歯科用粘性材料を温める機構を付与すれば前記課題を解決可能であることを見出して本発明を完成した。
【０００６】
即ち本発明は、後端近傍にフランジを有し先端にノズルを有するカートリッジから内容物である歯科用粘性材料を押し出すための歯科用手動押出具において、ハンドル部で押し出されるプランジャーが貫通したバレルの先端部分に、該カートリッジを該フランジで係合させ収納するカートリッジ収納部を有する構成とされていて、カートリッジ収納部の周囲にヒーターを設けたことを特徴とする歯科用手動押出具である。
【発明の効果】
【０００７】
本発明に係る歯科用手動押出具は、カートリッジ収納部の周囲にヒーターを設けたことにより、使用時の外気温が低くてもカートリッジに収納されている歯科用粘性材料を楽に押し出すことが可能な優れた歯科用手動押出具である。また、本発明に係る歯科用手動押出具を用いれば、歯科用粘性材料の粘度を術者の好む粘度に低下させて調整することも可能となる。
【図面の簡単な説明】
【０００８】
【図１】本発明に係る歯科用手動押出具の一実施例を示す平面説明図。
【発明を実施するための形態】
【０００９】
図面中１は本発明に係る歯科用手動押出具であり、ハンドル部１ａで押し出されるプランジャー１ｂが貫通したバレル１ｃの先端部分に、後述するカートリッジ２のフランジ２ａを係合させるフランジ係合部１ｆを有するカートリッジ収納部１ｄが設けられている。このカートリッジ収納部１ｄの周囲にはヒーター１ｅが設けられており、カートリッジ２を温めることによって気温が低い場合であってもカートリッジ内の歯科用粘性材料が硬くなってしまうことがない。本実施例におけるカートリッジ収納部１ｄは、上部が開口しており該開口部からカートリッジを着脱可能となっている。
【００１０】
ヒーター１ｅは抵抗線や酸化金属素子を用いた小型のヒーターが適しており、ヒーター１ｅとしてサーミスタを用いれば温度制御が容易となる。制御温度は歯科用粘性材料の温度特性から概ね２０〜４０℃で制御することが望ましく、長時間４０℃を超えた状態が続くと歯科用粘性材料の変質や硬化の虞がある。ヒーター１ｅは図示したようにカートリッジ収納部１ｄの外側に設けられていても良いし、内側やカートリッジ収納部内に組み込まれていても良い。電源となる電池１ｍは歯科用手動押出具１の設計によって自由に配置可能である。実施例では前ハンドル１ａａ内に設けられており、電線１ｉでヒーター１ｅと接続されている。また、前ハンドル１ａａ下部には充電器（図示無し）と接続するための接続部１ｇを有している。更にヒーター１ｅのＯＮ−ＯＦＦのためのスイッチやその動作を知らせるパイロットランプ１ｈを適宜設けると操作性が向上する。
【００１１】
ハンドル部１ａは従来の手動押出具に利用されていたハンドル構造を使用することができる。実施例では前ハンドル１ａａと後ハンドル１ｂｂの二部品からなり、両ハンドルは図面中上側のヒンジ１ａｃで接続されている。前ハンドル１ａａにはバレル１ｃが固定または一体にして配備されていて、バレル１ｃ内のプランジャー１ｂ後端がスプリング１ｋを介して後ハンドル１ａｂと接しているのが最も一般的な構造である。
【００１２】
２は既述のカートリッジであり歯科用粘性材料を収める円筒状を成している。このカートリッジ２は、後端近傍に歯科用手動押出具１のカートリッジ収納部１ｄに設けられているフランジ係合部１ｆに装着するためのフランジ２ａを有し先端にはノズル２ｂを有する。またカートリッジ２は、図示しないが、カートリッジ２内を摺動可能な内栓を有している。
【００１３】
カートリッジ２の材質は従来から用いられている樹脂材料が使用可能であり、例えば、ポリエチレン，ポリアセタール，ポリプロピレン，ポリアミド，塩化ビニル樹脂，ナイロン，フェノール樹脂，ポリウレタン，飽和ポリエステル樹脂，メラミン樹脂 ，ポリ塩化ビニリデン，不飽和ポリエステル樹脂，ポリブタジエン，ポリスチレン，ＥＶＡ（エチレン−酢酸ビニル共重合）樹脂，スチロール樹脂，ポリメチルペンテン，メタクリルスチレン，ＡＢＳ（アクロル二トリル，ブタジエン，スチレン）樹脂，ポリカーボネート等が例示される。
【符号の説明】
【００１４】
１  歯科用手動押出具
１ａ  ハンドル部
１ａａ  前ハンドル
１ａｂ  後ハンドル
１ａｃ  ヒンジ
１ｂ  プランジャー
１ｃ  バレル
１ｄ  カートリッジ収納部
１ｅ  ヒーター
１ｆ  フランジ係合部
１ｇ  接続部
１ｈ  パイロットランプ
１ｉ  電線
１ｋ  スプリング
１ｍ  電池
２  カートリッジ
２ａ  フランジ
２ｂ  ノズル
【図１】
2010193941.tif 000003